【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有する画像送信装置において、
前記操作パネルにより前記外部機器の記憶装置内のフォルダ構成の変更要求を入力する変更要求入力手段と、
前記外部機器とネットワークを介して接続するために利用可能なプロトコルを外部機器のアドレスから決定するプロトコル決定手段と、
前記変更要求入力手段により入力されたフォルダ構成の変更要求に基づいて、前記プロトコル決定手段により決定されたプロトコルに応じたフォルダ構成の変更コマンドを生成する変更コマンド生成手段と、
前記変更コマンド生成手段により生成されたフォルダ構成の変更要求を前記外部機器に送信する変更コマンド送信手段と、
前記変更コマンド送信手段により変更された、前記外部機器の記憶装置内のフォルダ構成の変更されたフォルダに前記画像読取手段で読み取った画像を送信する画像送信手段と、  を備えることを特徴とする画像送信装置。
【請求項２】
前記変更コマンド送信手段により送信されたフォルダ構成の変更要求に対する回答を前記外部機器から受信する回答受信手段と、
前記回答受信手段により受信された回答に基づいて、前記操作パネルに表示される外部機器の記憶装置内のフォルダ構成の表示を更新する表示更新手段を備えることを特徴とする請求項１記載の画像送信装置。
【請求項３】
前記回答受信手段から受信する回答には、前記フォルダ構成の変更要求に対するフォルダの共有違反の有無の情報を含み、
前記回答受信手段が受信した回答からフォルダの共有違反の有無を検出する共有違反検出手段を備え、
前記共有違反検出手段によりフォルダの共有違反が検出されたときに、前記操作パネルは当該フォルダの共有違反が発生した旨の画面と、フォルダ構成の変更を継続するか否かを選択させる画面とを表示することを特徴とする請求項２記載の画像送信装置。
【請求項４】
前記共有違反検出手段によりフォルダの共有違反が検出されたときに、当該共有違反の発生しているフォルダにアクセスしている外部機器に対して、フォルダ変更の通知情報を送信する送信手段と、
前記共有違反検出手段により検出されたフォルダの共有違反の解除を検知する共有違反解除検知手段と、
前記共有違反解除検知手段により共有違反が解除された場合に、前記変更要求入力手段により入力されたフォルダ構成の変更要求の内容に応じて、フォルダ構成の変更コマンドを再度送信する変更コマンド再送信手段とを備えることを特徴とする請求項３記載の画像送信装置。
【請求項５】
前記変更要求入力手段により入力されたフォルダ構成の変更要求がフォルダの移動要求である場合に、前記変更コマンド送信手段は、当該共有違反の発生しているフォルダを含む上位のフォルダ階層を前記外部機器の記憶装置内にコピーするコマンドを送信し、当該コピー先の上位のフォルダ階層内で当該フォルダの移動要求に対応するフォルダの移動を実行し、前記共有違反解除検知手段により共有違反が解除された場合に、当該コピー先の上位のフォルダ階層をコピー元の上位のフォルダ階層に上書きし、当該コピー先の上位のフォルダ階層を削除することを特徴とする請求項４記載の画像送信装置。
【請求項６】
前記変更要求入力手段により入力されたフォルダ構成の変更要求がフォルダの名称の変更要求である場合に、前記フォルダ構成変更手段は、当該共有違反の発生しているフォルダを前記外部機器の記憶装置内にコピーし、当該フォルダの名称の変更要求に対応するように当該コピー先のフォルダの名称を変更し、当該コピー先のフォルダの名称をコピー元のフォルダの名称に上書きし、当該コピー先のフォルダの名称を削除することを特徴とする請求項４又は５記載の画像送信装置。
【請求項７】
前記変更要求入力手段により入力されたフォルダ構成の変更要求がフォルダの削除要求である場合に、前記フォルダ構成変更手段は、当該共有違反の発生しているフォルダを削除することを特徴とする請求項４乃至６のいずれか１項記載の画像送信装置。
【請求項８】
画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有する画像送信装置の画像送信方法において、
前記操作パネルにより前記外部機器の記憶装置内のフォルダ構成の変更要求を入力する変更要求入力工程と、
前記外部機器とネットワークを介して接続するために利用可能なプロトコルを外部機器のアドレスから決定するプロトコル決定工程と、
前記変更要求入力手段により入力されたフォルダ構成の変更要求に基づいて、前記プロトコル決定手段により決定されたプロトコルに応じたフォルダ構成の変更コマンドを生成する変更コマンド生成工程と、
前記変更コマンド生成手段により生成されたフォルダ構成の変更要求を前記外部機器に送信する変更コマンド送信工程と、
前記変更コマンド送信手段により変更された、前記外部機器の記憶装置内のフォルダ構成の変更されたフォルダに前記画像読取手段で読み取った画像を送信する画像送信工程と、  を備えることを特徴とする画像送信方法。
【請求項９】
画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有するコンピュータで実行される画像送信プログラムにおいて、
前記操作パネルにより前記外部機器の記憶装置内のフォルダ構成の変更要求を入力する変更要求入力モジュールと、
前記外部機器とネットワークを介して接続するために利用可能なプロトコルを外部機器のアドレスから決定するプロトコル決定モジュールと、
前記変更要求入力モジュールにより入力されたフォルダ構成の変更要求に基づいて、前記プロトコル決定モジュールにより決定されたプロトコルに応じたフォルダ構成の変更コマンドを生成する変更コマンド生成モジュールと、
前記変更コマンド生成モジュールにより生成されたフォルダ構成の変更要求を前記外部機器に送信する変更コマンド送信モジュールと、
前記変更コマンド送信モジュールにより変更された、前記外部機器の記憶装置内のフォルダ構成の変更されたフォルダに前記画像読取手段で読み取った画像を送信する画像送信モジュールと、
を備えることを特徴とする画像送信プログラム。
【請求項１０】
請求項９に記載された画像送信プログラムをコンピュータが読み取り可能に記憶した記録媒体。
【手続補正２】
【補正対象書類名】明細書
【補正対象項目名】０００７
【補正方法】変更
【補正の内容】
【０００７】
上記目的を達成するため、請求項１の画像送信装置は、画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有する画像送信装置において、前記操作パネルにより前記外部機器の記憶装置内のフォルダ構成の変更要求を入力する変更要求入力手段と、前記外部機器とネットワークを介して接続するために利用可能なプロトコルを外部機器のアドレスから決定するプロトコル決定手段と、前記変更要求入力手段により入力されたフォルダ構成の変更要求に基づいて、前記プロトコル決定手段により決定されたプロトコルに応じたフォルダ構成の変更コマンドを生成する変更コマンド生成手段と、前記変更コマンド生成手段により生成されたフォルダ構成の変更要求を前記外部機器に送信する変更コマンド送信手段と、前記変更コマンド送信手段により変更された、前記外部機器の記憶装置内のフォルダ構成の変更されたフォルダに前記画像読取手段で読み取った画像を送信する画像送信手段と  を備えることを特徴とする。
【手続補正３】
【補正対象書類名】明細書
【補正対象項目名】０００８
【補正方法】変更
【補正の内容】
【０００８】
請求項８の画像送信方法は、画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有する画像送信装置の画像送信方法において、前記操作パネルにより前記外部機器の記憶装置内のフォルダ構成の変更要求を入力する変更要求入力工程と、前記外部機器とネットワークを介して接続するために利用可能なプロトコルを外部機器のアドレスから決定するプロトコル決定工程と、前記変更要求入力手段により入力されたフォルダ構成の変更要求に基づいて、前記プロトコル決定手段により決定されたプロトコルに応じたフォルダ構成の変更コマンドを生成する変更コマンド生成工程と、前記変更コマンド生成手段により生成されたフォルダ構成の変更要求を前記外部機器に送信する変更コマンド送信工程と、前記変更コマンド送信手段により変更された、前記外部機器の記憶装置内のフォルダ構成の変更されたフォルダに前記画像読取手段で読み取った画像を送信する画像送信工程とを備えることを特徴とする。
【手続補正４】
【補正対象書類名】明細書
【補正対象項目名】０００９
【補正方法】変更
【補正の内容】
【０００９】
請求項１０の画像送信プログラムは、画像を記憶するための記憶装置を有する複数の外部機器のそれぞれとネットワークを介して、複数のプロトコルのいずれかのプロトコルを用いて通信可能な画像読取手段と、前記外部機器のフォルダ構成を表示可能な操作パネルを有するコンピュータで実行される画像送信プログラムにおいて、前記操作パネルにより前記外部機器の記憶装置内のフォルダ構成の変更要求を入力する変更要求入力モジュールと、前記外部機器とネットワークを介して接続するために利用可能なプロトコルを外部機器のアドレスから決定するプロトコル決定モジュールと、前記変更要求入力モジュールにより入力されたフォルダ構成の変更要求に基づいて、前記プロトコル決定モジュールにより決定されたプロトコルに応じたフォルダ構成の変更コマンドを生成する変更コマンド生成モジュールと、前記変更コマンド生成モジュールにより生成されたフォルダ構成の変更要求を前記外部機器に送信する変更コマンド送信モジュールと、前記変更コマンド送信モジュールにより変更された、前記外部機器の記憶装置内のフォルダ構成の変更されたフォルダに前記画像読取手段で読み取った画像を送信する画像送信モジュールとを備えることを特徴とする。